(57)【要約】【課題】ビルトイン型高周波加熱調理器の場合、左右側面とキャビネットの距離が狭くボディーとキャビネットの間の空気層が時間と共に温度が上昇し、加熱装置左右に配置されたキャビネット内の温度が上昇しやすい課題があった。【解決手段】前記従来の課題を解決するために、本発明のビルトイン型高周波加熱調理器は、機体の背面に位置するケース内に収納された冷却ファンの風の一部をボディーとそれに対面するキャビネットの隙間に送風し、隙間の空気を効率良く押し出す構成とした。【選択図】図１
2010107133.tif 000002
【特許請求の範囲】
【請求項１】
加熱庫と、加熱庫前面の扉と、食品の加熱を制御するコントロールパネルを備え、加熱庫及び機械室は金属からなるボディーが装着され、後部に装着された冷却ファンからの冷却風の一部がボディーと対面するキャビネットの隙間に送風される構成を特徴とするビルトイン型高周波加熱調理器。
【請求項２】
ボディーの一部に段部を設け、冷却ファンからの冷却風が入りやすく、ボディーと対面するキャビネットの隙間に効率よく送風できることを特徴とする請求項１に記載のビルトイン型高周波加熱調理器。
【請求項３】
ボディーにガイド形状を設け冷却風が均一に誘導できる構成を特徴とする請求項１または２に記載のビルトイン型高周波加熱調理器。
【発明の詳細な説明】
【技術分野】
【０００１】
本発明は、ビルトイン型高周波加熱調理器の外郭冷却手段に関するものである。
【背景技術】
【０００２】
従来、この種のビルトイン型高周波加熱調理器はシステムキッチンスペースの一部に組み込む装置とされ、両サイドにキャビネットと上にはコンロを配置される構成が一般的に知られている（例えば、特許文献１参照）。
【０００３】
図４は、従来からのビルトイン型高周波加熱調理器がシステムキッチンに収納された状態の正面図を示すものである。図４に示すように扉２０と扉２０の開閉操作をするハンドル２１と加熱装置の運転操作をする操作パネル２１と両サイドにはキャビネット右２３とキャビネット左２４が配置され上にはコンロ２５が配置された構成としている。
【０００４】
図５は、加熱装置の扉２０を開きキャビネット右を除いた状態の斜視図を示す。加熱庫２６の上に運転操作をする操作パネル２１が配置されヒンジ構造で、開閉式としている。
【０００５】
図６は、キャビネット右を除いた側面図で加熱装置の背面に位置するケース２７内に冷却ファンユニットが収納され、下方より吸入された冷却風を、ダクト２８を通して矢印２９方向に送風し操作パネル２１及び機械室よりボディー内側を冷却する構成としていた。
【特許文献１】特開２００５−３３１７号公報
【発明の開示】
【発明が解決しようとする課題】
【０００６】
しかしながら、前記従来の構成では、加熱装置のボディー左右側面とキャビネットの距離が狭くボディーとキャビネットの間の空気層が時間と共に温度が上昇し、加熱装置左右に配置されたキャビネット内の温度が上昇しやすい課題があった。
【０００７】
本発明は前記従来の課題を解決するもので、加熱装置の左右に配置されたキャビネットへの熱の伝わりを軽減する構成とした加熱装置を提供することを目的とする。
【課題を解決するための手段】
【０００８】
前記従来の課題を解決するために、本発明のビルトイン型高周波加熱調理器は、機体の背面に位置するケース内に収納された冷却ファンの風の一部をボディーとそれに対面するキャビネットの隙間に送風し、隙間の空気を効率良く押し出す構成とした。
【０００９】
これによって、加熱装置の側面とキャビネットとの隙間の空気の温度が上昇する前に、常に冷却風によって入れ替わり効率良くキャビネットの温度上昇を軽減することが可能となる。
【発明の効果】
【００１０】
本発明のビルトイン型高周波加熱調理器は、加熱装置の側面とキャビネットとの隙間の空気が常に冷却風によって入れ替わり、加熱装置の両サイドに配置されたキャビネットの温度上昇を軽減することが可能となる。
【発明を実施するための最良の形態】
【００１１】
第１の発明は、加熱装置の背面に位置するケース内に収納された冷却ファンから送られた風の一部が、ダクトによって加熱装置の側面とキャビネットの隙間に向けられている。
更に、加熱装置側面のダクトのエアー吹出し口近傍は凹部を設けキャビネットとの隙間を大きく広げた形状とし、ダクトのエアー吹出し口からでた冷却風を効率よく、加熱装置の側面とキャビネットの隙間に押し込む構成とした。
【００１２】
第２の発明は、特に、第１の発明において、加熱装置側面にある凹部から押し出された冷却風を誘導する凸形状のリブを設け、加熱装置の側面とキャビネットの隙間の確保とより均等に冷却風を誘導する構成とした。
【００１３】
以下、本発明の実施の形態について、図面を参照しながら説明する。なお、この実施の形態によって本発明が限定されるものではない。
【００１４】
（実施の形態１）
図１は、本発明の実施の形態１におけるビルトイン型高周波加熱調理器の右側面側キャビネットを除いた側面図である。
【００１５】
図１において、加熱装置の正面に開閉自在の扉１とハンドル２とその上に位置する操作パネル３が構成され、加熱装置の機械室を金属でカバーするボディー４と背面に位置するケース５の内部に冷却ファンユニットが収納され、下方より吸入された冷却風をダクトＡ６に向けて送風する構成としている。
【００１６】
以上のように構成されたビルトイン型高周波加熱調理器について、以下その動作、作用を図２で説明する。
【００１７】
図２は、本実施の形態におけるビルトイン型高周波加熱調理器を、図１同様右側面のキャビネットを除いた斜め後方から見た後方斜視図である。
【００１８】
加熱装置の背面に位置するケース５の内部に収納された冷却ファンユニットは加熱装置の運転制御に合わせて動作し、下方から吸入孔７からエアーａ８を吸入しダクトＡ６に送られエアーｂ９方向に送風され、機械室内の冷却に作用している。
【００１９】
ダクトＡ６は途中でダクトＢ１０、ダクトＣ１１に分岐しそれぞれ必要とする冷却風を供給する手段としている。なお、ここでは加熱装置左側面の説明は省略する。
【００２０】
ダクトＡ６の冷却風の一部はダクトＢ１０から排出される。加熱装置の機械室をカバーするボディー４のダクトＢ１０の吹出し部は３ｍｍ以上の深さの凹形状１２とした。
【００２１】
この形状によってキャビネットと凹形状１２の距離が広くなりダクトＢ１０から吹出した冷却風が凹形状１２に押し込まれやすくその圧によってエアーＣ１３の状態に冷却風が分散しボディー４とキャビネットの隙間に向けられる状態となる。
【００２２】
それによってキャビネットとボディー４の狭い隙間の空気層の熱を押し出し側面に対面するキャビネットの温度上昇を効果的に軽減することができる。
【００２３】
（実施の形態２）
図３は、本発明の実施の形態２におけるビルトイン型高周波加熱調理器の側面図である。
【００２４】
図３に示すように、ボディー４のダクトＢ１０の吹出し部に設けた凹形状１２に押し込まれた冷却風の異動方向を誘導するリブ１４を設けキャビネットとの距離の確保されるとともに冷却風の排出方向が定まりより効率よく冷却する手段とした。
【産業上の利用可能性】
【００２５】
以上のように、本発明はビルトイン型高周波加熱調理器に適用できるものであり、キッチンに組み込み機器を長時間運転した際においても、両サイドのキャビネットへの熱の影響を軽減することができる。
【図面の簡単な説明】
【００２６】
【図１】本発明の実施の形態１におけるビルトイン型高周波加熱調理器の側面図
【図２】本発明の実施の形態１におけるビルトイン型高周波加熱調理器の後方斜視図
【図３】本発明の実施の形態２におけるビルトイン型高周波加熱調理器の側面図
【図４】従来のビルトイン型高周波加熱調理器の正面図
【図５】従来のビルトイン型高周波加熱調理器の斜視図
【図６】従来のビルトイン型高周波加熱調理器の側面図
【符号の説明】
【００２７】
１  扉
２  ハンドル
３  操作パネル
４  ボディー
５  ケース
６  ダクトＡ
７  吸入孔
１０  ダクトＢ
１１  ダクトＣ
１２  凹形状
【図１】
2010107133.tif 000003
【図２】
2010107133.tif 000004
【図３】
2010107133.tif 000005
【図４】
2010107133.tif 000006
【図５】
2010107133.tif 000007
【図６】
2010107133.tif 000008